(57)【要約】【課題】遊技盤を所定位置に正確に位置決めすることが可能な弾球遊技機を提供する。【解決手段】遊技盤６を保持可能に構成され且つ前側が遊技盤着脱可能に開放された遊技盤装着枠と、係合部５６を遊技盤６の前側に係脱自在に係合させることにより遊技盤６を遊技盤装着枠内で前後方向に固定可能なロック手段４５ａ，４５ｂとを備え、ロック手段４５ａ，４５ｂに、係合部５６による係合動作と連動して遊技盤６を遊技盤装着枠における所定の原点位置に向けて盤面方向に押圧する押圧部５７を設けたものである。【選択図】図１０
2011078838.tif 000002
【特許請求の範囲】
【請求項１】
前側に遊技領域（６ａ）が設けられた遊技盤（６）と、該遊技盤（６）を保持可能に構成され且つ前側又は後側が遊技盤着脱可能に開放された遊技盤装着枠（３０）と、係合部（５６）を前記遊技盤（６）の前側又は後側に係脱自在に係合させることにより前記遊技盤（６）を前記遊技盤装着枠（３０）内で前後方向に固定可能なロック手段（４５ａ，４５ｂ）とを備えた弾球遊技機において、前記ロック手段（４５ａ，４５ｂ）は、前記係合部（５６）による係合動作と連動して前記遊技盤（６）を前記遊技盤装着枠（３０）における所定の原点位置（Ｏ）に向けて盤面方向に押圧する押圧部（５７）を備えたことを特徴とする弾球遊技機。
【請求項２】
前記遊技盤装着枠（３０）の一つの隅部を前記原点位置（Ｏ）としたことを特徴とする請求項１に記載の弾球遊技機。
【請求項３】
前記押圧部（５７）による押圧方向が少なくとも上下方向の成分を有する第１ロック手段（４５ａ）と、前記押圧部（５７）による押圧方向が少なくとも左右方向の成分を有する第２ロック手段（４５ｂ）とを夫々１又は複数備えたことを特徴とする請求項２に記載の弾球遊技機。
【請求項４】
前記遊技盤（６）の左右方向又は上下方向の一端側を前後方向に支持する前後支持部（４３ｃ）を備え、該前後支持部（４３ｃ）の反対の端部側に対応して前記ロック手段（４５ａ，４５ｂ）を配置したことを特徴とする請求項１〜３の何れかに記載の弾球遊技機。
【請求項５】
前記ロック手段（４５ａ，４５ｂ）は、前記係合部（５６）及び前記押圧部（５７）を備え且つ前記遊技盤装着枠（３０）側に設けられた装着部（４７）内に前後方向の軸廻りに回転可能に装着されるロック部材（５１）と、該ロック部材（５１）と共に前記装着部（４７）内に装着され且つ前記ロック部材（５１）の回転を所定範囲に規制する回転範囲規制部材（５２）とを備え、前記回転範囲規制部材（５２）の前記装着部（４７）内での回転を阻止する回転阻止部（７５，７６）を備えたことを特徴とする請求項１〜４の何れかに記載の弾球遊技機。
【請求項６】
外枠（２）に対して開閉自在に装着された前枠（３）に前記遊技盤装着枠（３０）が設けられ、前記前枠（３）に着脱自在に装着される所定部品に前記回転阻止部（７５，７６）を一体に設けたことを特徴とする請求項５に記載の弾球遊技機。
【請求項７】
前記前枠（３）の後側に着脱自在に装着される基板装着台（１２１）に前記回転阻止部（７６）を一体に設けたことを特徴とする請求項６に記載の弾球遊技機。
【請求項８】
前記前枠（３）の後側に着脱自在に装着される遊技球タンクユニット（１１３）に前記回転阻止部（７５）を一体に設けたことを特徴とする請求項６又は７に記載の弾球遊技機。
【発明の詳細な説明】
【技術分野】
【０００１】
本発明は、パチンコ機等の弾球遊技機に関するものである。
【背景技術】
【０００２】
パチンコ機等の弾球遊技機は、矩形枠状の外枠と、この外枠に対して開閉自在に装着された前枠とを備え、この前枠に設けられた遊技盤装着枠に遊技盤が装着されている。また、遊技盤装着枠は遊技盤の着脱が可能なように後側（又は前側）が開放されており、その遊技盤装着枠に後側（又は前側）から装着された遊技盤は、その背面側（又は前面側）から裏機構板等の遊技盤固定手段により前向き（又は後ろ向き）に押圧されることにより遊技盤装着枠内に保持されるようになっている（特許文献１参照）。
【先行技術文献】
【特許文献】
【０００３】
【特許文献１】特開２００６−２２３７３４号公報
【発明の概要】
【発明が解決しようとする課題】
【０００４】
上記のような従来の弾球遊技機では、遊技盤は遊技盤装着枠に後側から嵌め込まれてその後側から裏機構板等により押圧されているだけであるため、前後方向については所定位置に正確に位置決めされるものの、盤面に沿った方向、特に左右方向については、遊技盤の外周面と遊技盤装着枠との間に存在する隙間分だけバラツキを生じる可能性があった。
【０００５】
本発明は、このような従来の問題点に鑑み、遊技盤を所定位置に正確に位置決めすることが可能な弾球遊技機を提供することを目的とする。
【課題を解決するための手段】
【０００６】
本発明は、前側に遊技領域６ａが設けられた遊技盤６と、該遊技盤６を保持可能に構成され且つ前側又は後側が遊技盤着脱可能に開放された遊技盤装着枠３０と、係合部５６を前記遊技盤６の前側又は後側に係脱自在に係合させることにより前記遊技盤６を前記遊技盤装着枠３０内で前後方向に固定可能なロック手段４５ａ，４５ｂとを備えた弾球遊技機において、前記ロック手段４５ａ，４５ｂは、前記係合部５６による係合動作と連動して前記遊技盤６を前記遊技盤装着枠３０における所定の原点位置Ｏに向けて盤面方向に押圧する押圧部５７を備えたものである。
【発明の効果】
【０００７】
本発明によれば、遊技盤６を前後方向だけでなく盤面に沿った方向についても所定位置に正確に位置決めすることが可能である。
【図面の簡単な説明】
【０００８】
【図１】本発明の一実施形態を示すパチンコ機の全体斜視図である。
【図２】本発明の一実施形態を示すパチンコ機のガラス扉及び前面開閉板を取り外した状態での正面図である。
【図３】本発明の一実施形態を示すパチンコ機の背面図である。
【図４】本発明の一実施形態を示すパチンコ機のガラス扉の斜視図である。
【図５】本発明の一実施形態を示すパチンコ機の遊技盤の背面図である。
【図６】本発明の一実施形態を示すパチンコ機の前枠単体の斜視図である。
【図７】本発明の一実施形態を示すパチンコ機の前枠単体の斜視図である。
【図８】本発明の一実施形態を示すパチンコ機の要部側面断面図である。
【図９】本発明の一実施形態を示すパチンコ機の要部平面断面図である。
【図１０】本発明の一実施形態を示すパチンコ機のロック手段近傍の正面図である。
【図１１】本発明の一実施形態を示すパチンコ機のロック手段の分解斜視図である。
【図１２】本発明の一実施形態を示すパチンコ機のロック部材の動作を示す説明図である。
【図１３】本発明の一実施形態を示すパチンコ機のガラス避け凹溝とガラスユニット、装飾部材と盤飾り避け凹溝との嵌合状態を示す要部平面断面図である。
【図１４】本発明の一実施形態を示すパチンコ機の裏カバー嵌合部と裏カバー及び外枠との相対関係を示す要部平面断面図である。
【図１５】本発明の一実施形態を示すパチンコ機の裏カバー嵌合部と裏カバー及び外枠との相対関係を示す要部平面断面図である。
【図１６】本発明の一実施形態を示すパチンコ機の遊技球タンクユニットの平面図である。
【図１７】本発明の一実施形態を示すパチンコ機の基板装着台の平面図である。
【発明を実施するための形態】
【０００９】
以下、本発明の実施形態を図面に基づいて詳述する。図１〜図１７は本発明をパチンコ機に採用した一実施形態を例示している。図１において、１は遊技機本体で、矩形状の外枠２と、この外枠２の前側に開閉自在に枢着された前枠３とを備えている。
【００１０】
前枠３は例えば合成樹脂製で、図２，図６，図７等に示すように、外枠２の前面側に当接する矩形状の枠部４と、この枠部４の内側下部に配置される下部装着部３ａと、枠部４の内側上部に配置される上部装着部３ｂとを一体に備え、下部装着部３ａに発射手段５等が、上部装着部３ｂに遊技盤６等が夫々配置されている。枠部４は、上下一対の横枠部４ａ，４ｂと、左右一対の縦枠部４ｃ，４ｄとで構成されており、前枠３はその左右一端側、例えば左縦枠部４ｃ側に設けられた上下方向のヒンジ７により外枠２に枢支されている。
【００１１】
また、前枠３の前側には、下部装着部３ａに対応する前面開閉板９と、上部装着部３ｂに対応するガラス扉１０とがヒンジ７と同じ側のヒンジ１１により開閉自在に枢支されている。前面開閉板９には、その前側に、発射手段５に供給するための遊技球を貯留する供給皿１２、発射手段５を作動させるための発射ハンドル１３等が設けられている。
【００１２】
ガラス扉１０は、図１，図４等に示すように、遊技盤６の遊技領域６ａを透視可能なガラス窓１４の窓孔を有する例えば板金製の扉枠１５と、この扉枠１５の前側に装着された合成樹脂製の化粧カバー１６と、扉枠１５の裏側に装着されたガラスユニット１７とを備え、前枠３側に閉じたとき、扉枠１５の外縁側が上横枠部４ａ及び左右の縦枠部４ｃ，４ｄの前側に略当接すると共に、ガラスユニット１７がその内側に嵌合するようになっている。ガラスユニット１７は、前後二枚のガラス板１８と、この二枚のガラス板１８を外周で保持する合成樹脂製の保持枠１９とで構成されており、扉枠１５の裏側に設けられた締結摘まみ２０により扉枠１５に着脱自在に装着されている。
【００１３】
下部装着部３ａは、下横枠部４ｂの上側に沿って横長状に形成されており、図２に示すようにその前側の例えば左右方向略中央に発射手段５が配置され、前面開閉板９側の供給皿１２からこの発射手段５に発射用の遊技球が供給されるようになっている。発射手段５は、板金製の支持板２１と、この支持板２１の前面に装着された発射レール２２と、支持板２１の前面で前後方向の駆動軸廻りに揺動自在に支持された打撃槌２３と、支持板２１の裏側に装着され且つ打撃槌２３を打撃方向に駆動するロータリソレノイド等の発射駆動手段２４等を備え、発射ハンドル１３が操作されたときに発射駆動手段２４により打撃槌２３を打撃方向（時計廻り）に間欠的に駆動することにより、供給皿１２から発射レール２２上に供給された遊技球を発射レール２２に沿って打撃して遊技盤６側に発射させるようになっている。
【００１４】
また、発射手段５の左側には、後述する払い出し手段１１４から払い出された遊技球を前面開閉板９側の供給皿１２に排出するための払い出し口２５等が、右側には下部スピーカ２６等が夫々配置されている。下部スピーカ２６は、スピーカユニット２７と、このスピーカユニット２７を収容するスピーカボックス２８とで構成されており、下部装着部３ａに後ろ向きの凹入状に形成された収容部２９（図６，図７）内に着脱自在に装着されている。
【００１５】
上部装着部３ｂは、枠部４の内側で且つ下部装着部３ａの上側に配置され、外枠２の内側に嵌合可能な後ろ向き膨出状に形成されており、その前部に遊技盤６を装着可能な遊技盤装着枠３０が設けられている。また、上部装着部３ｂにおける遊技盤装着枠３０よりも後側が遊技盤６の後部側を略覆う後部ケース３１となっており、更に上部の左右両端側には一対の上部スピーカ３２が着脱自在に装着されている。
【００１６】
遊技盤６は、ベニヤ板等により略矩形状に形成されており、図２に示すように、その前面側には発射手段５により発射された遊技球を遊技領域６ａの上部側に案内する外レール３３ａと、遊技領域６ａの周囲を規定する周壁の少なくとも一部を構成する内レール３３ｂとが立設されると共に、遊技領域６ａ内には、その略中央に画像表示手段を備えたセンターケース３４ａの他、通過ゲート３４ｂ、開閉式入賞手段３４ｃ、大入賞手段３４ｄ、普通入賞手段３４ｅ等の各種遊技部品が装着されている。
【００１７】
外レール３３ａ及び内レール３３ｂは例えば金属板により構成されており、外レール３３ａは遊技盤６の下部側の左右方向略中央位置又はそれよりも若干左寄りの位置から遊技盤６の左端側及び上端側を経て右上部側まで略円弧状に配置され、内レール３３ｂは遊技盤６の左上方から下部側の左右方向略中央まで外レール３３ａに並行するようにその内側に配設され、更にそのまま遊技盤６の右縁部近傍まで略円弧状に延設されている。また、遊技盤６の右端部には、外レール３３ａと内レール３３ｂの端部間を連結する略円弧状の連結レール部４０ａを備えた例えば合成樹脂製の装飾部材４０が配置されている。
【００１８】
また、遊技盤６の裏面側には、図５に示すように、センターケース３４ａ等の遊技部品を後側から覆う裏カバー３５が装着され、この裏カバー３５の背面側に主制御基板３６ａが格納された主基板ケース３６、演出制御基板３７ａが格納された演出基板ケース３７、液晶制御基板３８ａが格納された液晶基板ケース３８等が着脱自在に装着されている。
【００１９】
裏カバー３５は、上部側の上部カバー３５ａと下部側の集球ケース３５ｂとで構成されており、これら上部カバー３５ａと集球ケース３５ｂとは遊技盤６に対して例えば個別に装着されている。集球ケース３５ｂは、下部側に排出口３９を備え、大入賞手段３４ｄ等に入賞して遊技盤６の裏側に案内された遊技球をこの排出口３９側に誘導して下向きに排出するように構成されている。
【００２０】
遊技盤装着枠３０は、図２，図６，図７等に示すように、上横枠部４ａの内周側に設けられる上支持枠４１、下部装着部３ａの上縁側に設けられる下支持枠４２、左縦枠部４ｃの内周側に設けられる左支持枠４３、右縦枠部４ｄの内周側に設けられる右支持枠４４により、前側が遊技盤着脱可能に開放された矩形状に形成されている。上下左右の支持枠４１〜４４は、夫々遊技盤６をその上下左右の縁部において支持するもので、遊技盤６の外周面に沿って配置される周壁部４１ａ〜４４ａと、遊技盤６の背面に沿って配置される後壁部４１ｂ〜４４ｂとを夫々備えている。
【００２１】
また、支持枠４１〜４４のうちの一つ、例えば左支持枠４３側には、例えば周壁部４３ａから遊技盤６の前面側に沿って突設される前面支持部（前後支持部）４３ｃと、例えば後壁部４３ｂ上又はその内周側に配置され且つ遊技盤６の端部（左端部）を前側の前面支持部４３ｃ側に付勢する板ばね等よりなる付勢手段４３ｄとが設けられており、遊技盤６の左縁部をその外周面側及び前後両面側の三方から挟み込むと共に付勢手段４３ｄにより前側、即ち前面支持部４３ｃ側に押圧して支持するようになっている。
【００２２】
また、遊技盤装着枠３０上又はその近傍には、遊技盤装着枠３０に前側から装着された遊技盤６を解除可能に固定する複数、例えば２つのロック手段４５ａ，４５ｂが設けられている。
【００２３】
ロック手段４５ａ，４５ｂは、遊技盤６における前面支持部４３ｃとは反対の端部側に対応して配置されており、例えば上支持枠４１の右端部近傍に上ロック手段（第１ロック手段）４５ａが、下支持枠４２の右端部近傍に下ロック手段（第２ロック手段）４５ｂが夫々設けられている。また、遊技盤６には、これらロック手段４５ａ，４５ｂに対応して例えば外縁側に内向き凹入状の切欠部４６ａ，４６ｂが形成されている。
【００２４】
ロック手段４５ａ，４５ｂは、図８〜図１１等に示すように、遊技盤装着枠３０側に設けられた装着部４７内に前後方向の軸廻りに回転可能に装着されるロック部材５１と、このロック部材５１を装着部４７内に保持すると共にロック部材５１の回転を所定範囲に規制するロック規制部材（回転範囲規制部材）５２とを備えている。
【００２５】
装着部４７は、支持枠４１，４２の後壁部４１ｂ，４２ｂの背面側に一体に設けられ、後端側が開放した前後方向の円筒状に形成されている。装着部４７の内周面側には、少なくとも後端側から所定距離の範囲を除いて前後方向に形成される溝状又は切欠状の係合部５３が、周方向の複数箇所、例えば左右各一箇所に設けられている。
【００２６】
ロック部材５１は、装着部４７内に収容・保持される支持台５４と、この支持台５４から前向きに突設される軸部５５と、この軸部５５の前端側に配置される固定摘まみ部（係合部）５６と、軸部５５の軸方向中間部分に配置される押圧部５７とを例えば一体に備え、固定摘まみ部５６及び押圧部５７を後壁部４１ｂ，４２ｂに設けられた挿通孔５８を介して前側に突出させた状態で支持台５４が装着部４７内に回転自在に収容されている。
【００２７】
支持台５４は、装着部４７の内周に沿う円筒部５９と、この円筒部５９の前端側を略塞ぐ底板部６０とを一体に備えており、その底板部６０の中心に対応して軸部５５が前向きに突設されている。円筒部５９は、その軸方向長さが装着部４７よりも短く形成され、その後縁部には、ロック規制部材５２側の突起部６１に対応するガイド溝６２が、例えば周方向の二箇所に設けられている。
【００２８】
固定摘まみ部５６は、ロック操作及びロック解除操作を行う際の操作部としての機能と、遊技盤６の前面側に係合して前後方向に固定する係合部としての機能を併せ持つもので、軸部５５の前端側から半径方向の例えば互いに反対側の二方向に突出するように設けられている。
【００２９】
本実施形態では、この固定摘まみ部５６を縦向きにした状態がロック解除位置（図１０に二点鎖線で示す）、そのロック解除位置から時計廻りに略９０度回転させた横向きの状態がロック位置（図１０に実線で示す）となっており、ロック解除位置では、固定摘まみ部５６が遊技盤６側の切欠部４６ａ，４６ｂに干渉しないで前後に通過可能であり、ロック位置では固定摘まみ部５６が切欠部４６ａ，４６ｂの周辺部で遊技盤６の前面側に係合するようになっている。
【００３０】
なお、例えば遊技盤６の前面側で且つ切欠部４６ａ，４６ｂの周辺部、例えば左右両側には、固定摘まみ部５６のロック方向への回転軌跡に対応して前側への突出量が徐々に増加する傾斜部６３が設けられており、固定摘まみ部５６をロック解除位置からロック位置まで回転させる際、固定摘まみ部５６が傾斜部６３に徐々に乗り上げて遊技盤６を後ろ向きに押圧するようになっている。
【００３１】
押圧部５７は、固定摘まみ部５６によるロック動作と連動して遊技盤６をその盤面方向（盤面に沿った方向）に押圧するもので、軸部５５の軸方向中間部分に半径方向外向きの突起状に一体形成されている。この押圧部５７は、固定摘まみ部５６が縦向きのロック解除位置にあるときには切欠部４６ａ，４６ｂに干渉せず、固定摘まみ部５６がロック解除位置からロック位置まで回転される際に切欠部４６ａ，４６ｂの内面側の被押圧部６４ｃ，６４ｄを遊技盤６の盤面に沿って所定の原点位置Ｏに向けて押圧するようになっている。
【００３２】
本実施形態では、原点位置Ｏを、遊技盤装着枠３０の４つの隅部のうち、下部側で且つ前面支持部４３ｃ側の隅部に設定している（図２）。切欠部４６ａ，４６ｂの被押圧部６４ｃ，６４ｄは、原点位置Ｏとロック手段４５ａ，４５ｂの軸心とを結ぶ直線に略垂直な平面状に形成されており、上ロック手段４５ａ側の押圧部５７は被押圧部６４ｃを原点位置Ｏに向けて斜め下向きに、下ロック手段４５ｂの押圧部５７は被押圧部６４ｄを原点位置Ｏに向けて左向きに、夫々押圧するようになっている。
【００３３】
なお、挿通孔５８は、例えば固定摘まみ部５６を縦向きにした状態で、この固定摘まみ部５６と押圧部５７とが前後に通過可能な形状に形成されている。
【００３４】
ロック規制部材５２は、装着部４７の内周に沿う円筒部７１と、この円筒部７１の前端側を略塞ぐ前壁部７２とを一体に備え、ロック部材５１の支持台５４の後側に当接するように装着部４７内に例えば圧入により装着されている。
【００３５】
円筒部７１には、装着部４７側の係合部５３に対応して周方向の複数箇所、例えば左右各一箇所に係合爪７３が設けられている。この係合爪７３は、円筒部７１の後端側から前向きに形成された一対のスリット７４間に形成され、その外面側に爪部７３ａが突設されると共に内外方向に弾性変形可能となっている。ロック規制部材５２を装着部４７に後側から嵌め込む際には、係合爪７３は内向きに待避し、ロック規制部材５２の前端側がロック部材５１の後端側に当接したときに、係合爪７３の爪部７３ａが係合部５３に係合して、ロック規制部材５２を装着部４７内に回転不能に保持するようになっている。
【００３６】
前壁部７２には、その前面側に、ロック部材５１側のガイド溝６２に対応する突起部６１が設けられている。この突起部６１は、例えば前壁部７２の中心を通って左右両側の縁部に至る直線状に配置されている。
【００３７】
ロック部材５１側のガイド溝６２は、固定摘まみ部５６がロック解除位置にあるとき  （図１２（ｂ））に突起部６１が係合する解除側係合部６２ａと、固定摘まみ部５６がロック位置にあるとき（図１２（ａ））に突起部６１が係合するロック側係合部６２ｂとの間に設けられている。これにより、ロック部材５１の回転範囲は、ロック規制部材５２側の突起部６１がガイド溝６２に係合する範囲、即ち図１２（ｂ）に示すロック解除位置と図１２（ａ）に示すロック位置との間の略９０度の範囲に規制される。
【００３８】
なお、ガイド溝６２には、解除側係合部６２ａとロック側係合部６２ｂとに夫々隣接する位置に、ガイド溝６２上のその他の部分よりも溝深さが浅い浅溝部６２ｃが設けられており、固定摘まみ部５６をロック解除位置からロック位置、又はロック位置からロック解除位置に切り換える際には、突起部６１がこれら浅溝部６２ｃを乗り越えてロック側係合部６２ｂ，解除側係合部６２ａに到達し、これらロック側係合部６２ｂ，解除側係合部６２ａ内に保持されるようになっている。
【００３９】
また、ロック規制部材５２の後部側には、後述する回転阻止部７５，７６が係合するリブ７７が設けられている。このリブ７７は、ロック規制部材５２の軸心を通るように前壁部７２の背面側に沿って配置され、その両端側が円筒部７１の内周側に連結されており、このリブ７７の中心部近傍に回転阻止部７５，７６の係合溝７５ａ，７６ａが後側から係合している。リブ７７は、ロック規制部材５２の軸心に対して係合爪７３の配置位置に直交する方向に配置されており、また突起部６１とも直交している。
【００４０】
なお、ロック規制部材５２は、係合爪７３が係合部５３に係合することにより、装着部４７内における後方への移動だけでなく回転も規制されているが、ロック規制部材５２は後ろ向きに大きな力が作用することは少ないのに対し、回転方向にはロック操作及びロック解除操作の度に大きな力が作用する。そこで、本実施形態では、ロック規制部材５２のリブ７７に回転阻止部７５，７６の係合溝７５ａ，７６ａを後側から係合させることにより、係合爪７３による回転方向の規制を補助し、固定摘まみ部５６に必要以上に強い回転力が加えられた場合でもロック規制部材５２の回転を確実に防止できるようにしている。
【００４１】
また、ロック手段４５ａ，４５ｂの近傍には、固定摘まみ部５６に対応してその周辺部に摘まみ避け凹溝７８，７９が前後方向に設けられている。摘まみ避け凹溝７８，７９は、例えば固定摘まみ部５６と同心で且つ固定摘まみ部５６よりも大径の円筒面状で、固定摘まみ部５６の軸心に沿って前後方向に形成されており、上ロック手段４５ａ側の摘まみ避け凹溝７８は上支持枠４１の周壁部４１ａ上に、下ロック手段４５ｂ側の摘まみ避け凹溝７９は下部スピーカ２６のスピーカボックス２８の上面２８ａ上に、夫々設けられている。
【００４２】
遊技盤６上で遊技領域６ａをなるべく広く確保するためには、ロック手段４５ａ，４５ｂはなるべく遊技盤６の外縁側近傍を保持するように配置する必要があるが、その場合、ロック手段４５ａ，４５ｂが遊技盤装着枠３０の周壁部４１ａ〜４４ａ等に接近することとなり、固定摘まみ部５６が著しく操作し難くなる問題がある。本実施形態では、ロック手段４５ａ，４５ｂの近傍に摘まみ避け凹溝７８，７９を設けているため、ロック手段４５ａ，４５ｂを遊技盤６の外縁側近傍に対応する位置に配置しているにも拘わらず固定摘まみ部５６の操作を極めて容易に行うことができる。
【００４３】
更に、下部スピーカ２６のスピーカボックス２８に摘まみ避け凹溝７９を設けたことにより、下部スピーカ２６を着脱する際にスピーカボックス２８と固定摘まみ部５６との干渉を防止できる。
【００４４】
また、遊技盤装着枠３０の内周側、例えば左支持枠４３側の周壁部４３ａ及び右支持枠４４側の周壁部４４ａには、図６，図７及び図１３に示すように、ガラス扉１０を閉じたときのガラスユニット１７の外縁部に対応してガラス避け凹溝８１，８２が設けられている。このガラス避け凹溝８１，８２は、ガラスユニット１７の外周面の形状に対応して略円筒面状に形成され、周壁部４３ａ，４４ａの前縁側から後ろ向き所定幅の範囲に設けられている。なお、ヒンジ１１の反対側、即ちガラス扉１０の開閉端側に対応するガラス避け凹溝８２は、ガラスユニット１７に対応する前端側所定幅の前凹部８２ａが、ガラス扉１０を開閉する際のガラスユニット１７の外縁部の動作軌跡に対応してその凹入深さが後端側よりも前端側の方が大きく形成されている。
【００４５】
また、遊技盤装着枠３０の内周側、例えば右支持枠４４側の周壁部４４ａには、図７及び図１３に示すように、遊技盤６の前面側とガラスユニット１７の背面側との間の遊技領域６ａに対応して盤飾り避け凹溝８３が設けられている。この盤飾り避け凹溝８３は、遊技盤６の右端側に張り出すようにその前面側に装着された装飾部材４０の外周面に対応して例えば略円筒面状に形成されている。
【００４６】
後部ケース３１は、図６，図７等に示すように、遊技盤６の裏側の裏カバー３５の外周面に沿って配置される上下左右の周壁部９１〜９４と、裏カバー３５の背面に沿って配置される後壁部９５とで構成されている。後壁部９５には、その略中央に遊技盤６の裏側の基板ケース３６〜３８等が嵌合する開口部９６が設けられると共に、この開口部９６を後側から開閉可能に覆う開閉カバー９７（図３）が着脱自在に装着されている。
【００４７】
後部ケース３１の下周壁部９２には、図６に示すように、集球ケース３５ｂの排出口３９に対応する切欠部９８と、遊技盤６のアウト口９９（図２）から遊技盤６の裏側に案内された遊技球を後側の切欠部９８側に誘導する傾斜案内部１００とが設けられている。
【００４８】
また、後部ケース３１の右周壁部９４には、図７，図１４，図１５に示すように、遊技盤装着枠３０側に向けて外向き膨出状の裏カバー嵌合部１０１が形成され、この裏カバー嵌合部１０１に裏カバー３５側の膨出部１０５が内側から嵌合している。裏カバー嵌合部１０１は、その側壁部１０２が右支持枠４４の周壁部４４ａと前後に滑らかに接続されており、右支持枠４４の後壁部４４ｂはこの裏カバー嵌合部１０１に対応する部分が欠落している。
【００４９】
裏カバー嵌合部１０１の側壁部１０２は、前枠３を開閉する際に後部ケース３１が外枠２と干渉しないように（１４，図１５）、その後部側が内向き、即ち開口部９６側に傾斜する傾斜部１０２ａとなっている。なお、この傾斜部１０２ａが設けられていることにより、遊技盤６の遊技盤装着枠３０への着脱時、即ち遊技盤６の左端側を左支持枠４３側に係合させた状態で右端側を前向き又は後ろ向きに移動させる場合の裏カバー３５と前枠３側との干渉も防止できる。
【００５０】
裏カバー嵌合部１０１の上壁部１０３及び下壁部１０４は、側壁部１０２側に向けて外向きに傾斜する、即ち右下がり及び右上がりの傾斜面１０３ａ，１０４ａと、それら傾斜面１０３ａ，１０４ａの下縁部及び上縁部から周壁部４４ａに向けて外向きに延設された水平面１０３ｂ，１０４ｂとで構成されている。
【００５１】
このような裏カバー嵌合部１０１を設けることで、遊技盤６の外縁側いっぱいまで拡げた遊技領域６ａに対応して、遊技盤６の外縁側近傍まで遊技部品を配置することが可能であり、しかも前枠３開閉時の外枠２との干渉、遊技盤６着脱時の前枠３との干渉を防止できる。
【００５２】
後部ケース３１の背面側には、図３に示すように、例えば開口部９６の上側に遊技球タンク１１１とタンクレール１１２とを備えた遊技球タンクユニット１１３が、開口部９６の左右一側、例えば左側に払い出し手段１１４と払い出し通路１１５とを備えた払い出しユニット１１６が、夫々着脱自在に装着されており、遊技球が大入賞手段３４ｄ等の入賞口に入賞したとき、又は図外の自動球貸し機から球貸し指令があったときに、遊技球タンク１１１内の遊技球をタンクレール１１２を経て払い出し手段１１４により払い出し、その遊技球を払い出し通路１１５、払い出し口２５を経て供給皿１２に案内するようになっている。
【００５３】
遊技球タンクユニット１１３は、図１６に示すように、上側が開放した皿状の遊技球タンク１１１と、この遊技球タンク１１１の左右方向一端側、例えば左端側から横向きに突設されたタンクレール１１２とを一体に備え、後部ケース３１の上周壁部９１に凹入状に形成されたタンクユニット装着部１１７（図６〜図８）に後側から着脱自在に装着されている。
【００５４】
遊技球タンクユニット１１３には、上ロック手段４５ａの後側に対応して、例えば前側の側壁１１８から前向きに回転阻止部７５が突設されている。この回転阻止部７５には、その先端側に係合溝７５ａが形成されており、遊技球タンクユニット１１３が前枠３の後側に装着されたとき、この係合溝７５ａが上ロック手段４５ａ側のリブ７７に後側から係合して、ロック規制部材５２の回転を規制するようになっている。
【００５５】
また、後部ケース３１の下側で且つ下部装着部３ａの背面側には、基板装着台１２１が着脱自在に装着されており、この基板装着台１２１の背面側に、例えば電源基板１２２が格納された電源基板ケース１２３と、払い出し制御基板１２４が格納された払い出し基板ケース１２５とが着脱自在に装着されている。
【００５６】
基板装着台１２１には、図１７に示すように、その前面側に上下方向の球排出通路１２６が着脱自在に装着され、また先端側に係合溝７６ａが形成された回転阻止部７６が前向きに突設されており、この基板装着台１２１が前枠３の後側に装着されたとき、球排出通路１２６が後部ケース３１側の切欠部９８の下側に連通すると共に、回転阻止部７６の係合溝７６ａが下ロック手段４５ｂ側のリブ７７に後側から係合して、ロック規制部材５２の回転を規制するようになっている。
【００５７】
以上説明したように、本実施形態のパチンコ機では、遊技盤６を遊技盤装着枠３０内で前後方向に固定可能なロック手段４５ａ，４５ｂが、固定摘まみ部５６による係合動作と連動して遊技盤６を遊技盤装着枠３０における原点位置Ｏに向けて盤面方向に押圧する押圧部５７を備えているため、遊技盤６を前後方向だけでなく盤面に沿った方向についても所定位置に正確に位置決めすることが可能である。
【００５８】
また、遊技盤装着枠３０の一つの隅部を原点位置Ｏとしているため、遊技盤６をその隅部に向かって斜め方向に押圧するだけで盤面方向の位置決めを正確に行うことができる。
【００５９】
遊技盤６の左右方向の一端側を前後方向に支持する前面支持部４３ｃを備え、この前面支持部４３ｃの反対の端部側に対応してロック手段４５ａ，４５ｂを配置しているため、遊技盤６を前後方向にも確実に支持することができる。
【００６０】
ロック手段４５ａ，４５ｂは、固定摘まみ部５６及び押圧部５７を備え且つ遊技盤装着枠３０側に設けられた装着部４７内に前後方向の軸廻りに回転可能に装着されるロック部材５１と、このロック部材５１と共に装着部４７内に装着され且つロック部材５１の回転を所定範囲に規制するロック規制部材５２とを備え、ロック規制部材５２の装着部４７内での回転を阻止する回転阻止部７５，７６を備えているため、固定摘まみ部５６に必要以上に大きな回転力が加えられた場合でも、ロック規制部材５２の回転を確実に防止し、ロック部材５１の回転を所定範囲に確実に規制することが可能である。
【００６１】
外枠２に対して開閉自在に装着された前枠３に遊技盤装着枠３０が設けられ、前枠３に着脱自在に装着される基板装着台１２１、遊技球タンクユニット１１３に回転阻止部７５，７６を一体に設けているため、部品点数が増えず、組み立て工程が複雑化することもない。
【００６２】
以上、本発明の実施形態について詳述したが、本発明はこれらの実施形態に限定されるものではなく、本発明の趣旨を逸脱しない範囲で種々の変更が可能である。例えば、実施形態では二つのロック手段４５ａ，４５ｂを設けた例を示したが、ロック手段は一つでもよいし三つ以上配置してもよい。ロック手段は、押圧部５７により遊技盤６を夫々原点位置Ｏに向けて押圧することが望ましいが、ロック手段を二つ以上設ける場合には、押圧部５７による押圧方向が少なくとも上下方向の成分を有するものと、押圧部５７による押圧方向が少なくとも左右方向の成分を有するものとを夫々一つ以上設けてもよい。
【００６３】
実施形態では前面支持部（前後支持部）４３ｃを遊技盤装着枠３０の左右方向一端側に設け、左右方向他端側に対応してロック手段４５ａ，４５ｂを設けた例を示したが、前面支持部（前後支持部）４３ｃを遊技盤装着枠３０の上下方向一端側に設け、上下方向他端側に対応してロック手段４５ａ，４５ｂを設けてもよい。
【００６４】
回転阻止部７５，７６は基板装着台１２１、遊技球タンクユニット１１３以外の部品に設けてもよい。また、回転阻止部７５，７６を他の部品とは別に設け、前枠３、基板装着台１２１、遊技球タンクユニット１１３等に着脱自在に装着してもよい。
【００６５】
遊技盤装着枠３０は、遊技盤６を後側から着脱するものであってもよい。また本発明は、パチンコ機に限らず、アレンジボール機、雀球遊技機等の各種の弾球遊技機においても同様に実施することが可能である。
【符号の説明】
【００６６】
６    遊技盤
６ａ  遊技領域
３０    遊技盤装着枠
４３ｃ  前面支持部（前後支持部）
４５ａ  上ロック手段（第１ロック手段）
４５ｂ  下ロック手段（第２ロック手段）
５１    ロック部材
５２    ロック規制部材（回転範囲規制部材）
５６    固定摘まみ部（係合部）
５７    押圧部
７５    回転阻止部
７６    回転阻止部
１１３    遊技球タンクユニット
１２１    基板装着台
Ｏ    原点位置
【図１】
2011078838.tif 000003
【図２】
2011078838.tif 000004
【図３】
2011078838.tif 000005
【図４】
2011078838.tif 000006
【図５】
2011078838.tif 000007
【図６】
2011078838.tif 000008
【図７】
2011078838.tif 000009
【図８】
2011078838.tif 000010
【図９】
2011078838.tif 000011
【図１０】
2011078838.tif 000012
【図１１】
2011078838.tif 000013
【図１２】
2011078838.tif 000014
【図１３】
2011078838.tif 000015
【図１４】
2011078838.tif 000016
【図１５】
2011078838.tif 000017
【図１６】
2011078838.tif 000018
【図１７】
2011078838.tif 000019
【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
前側に遊技領域（６ａ）が設けられた遊技盤（６）と、該遊技盤（６）を保持可能に構成され且つ前側又は後側が遊技盤着脱可能に開放された遊技盤装着枠（３０）と、係合部（５６）を前記遊技盤（６）の前側又は後側に係脱自在に係合させることにより前記遊技盤（６）を前記遊技盤装着枠（３０）内で前後方向に固定可能なロック手段（４５ａ，４５ｂ）とを備えた弾球遊技機において、前記ロック手段（４５ａ，４５ｂ）は、前記係合部（５６）による係合動作と連動して前記遊技盤（６）上の被押圧部（６４ｃ，６４ｄ）を前記遊技盤装着枠（３０）における所定の原点位置（Ｏ）に向けて盤面に沿った方向に押圧する押圧部（５７）を備え、前記遊技盤（６）の左右方向又は上下方向の一端側を前後方向に支持する前後支持部（４３ｃ）を設け、前記遊技盤（６）に対する前記前後支持部（４３ｃ）側に前記原点位置（Ｏ）を、その反対側に前記ロック手段（４５ａ，４５ｂ）を夫々配置し、前記被押圧部（６４ｃ，６４ｄ）を、前記原点位置（Ｏ）と前記ロック手段（４５ａ，４５ｂ）とを結ぶ直線に略垂直な平面状に形成したことを特徴とする弾球遊技機。
【手続補正２】
【補正対象書類名】明細書
【補正対象項目名】０００６
【補正方法】変更
【補正の内容】
【０００６】
本発明は、前側に遊技領域６ａが設けられた遊技盤６と、該遊技盤６を保持可能に構成され且つ前側又は後側が遊技盤着脱可能に開放された遊技盤装着枠３０と、係合部５６を前記遊技盤６の前側又は後側に係脱自在に係合させることにより前記遊技盤６を前記遊技盤装着枠３０内で前後方向に固定可能なロック手段４５ａ，４５ｂとを備えた弾球遊技機において、前記ロック手段４５ａ，４５ｂは、前記係合部５６による係合動作と連動して前記遊技盤６上の被押圧部６４ｃ，６４ｄを前記遊技盤装着枠３０における所定の原点位置Ｏに向けて盤面に沿った方向に押圧する押圧部５７を備え、前記遊技盤６の左右方向又は上下方向の一端側を前後方向に支持する前後支持部４３ｃを設け、前記遊技盤６に対する前記前後支持部４３ｃ側に前記原点位置Ｏを、その反対側に前記ロック手段４５ａ，４５ｂを夫々配置し、前記被押圧部６４ｃ，６４ｄを、前記原点位置Ｏと前記ロック手段４５ａ，４５ｂとを結ぶ直線に略垂直な平面状に形成したものである。